(57)【要約】【課題】            開閉体の閉鎖方向端部に設けられた物体感知部を保護することができる開閉装置の物体感知構造を提供する。【解決手段】        空間を仕切るようにして閉鎖動作する開閉体１０の閉鎖方向端部に、該開閉体１０よりも閉鎖方向側の物体を接触感知する物体感知部１４ｄを備えた開閉装置の物体感知構造において、開閉体１０の閉鎖方向端部に、前記物体感知部１４ｄにおける少なくとも開閉体厚さ方向の端部を覆うようにして、可撓性の保護シート１４ｅを設けたことを特徴とする。【選択図】          図３
2007154412.tif 000002
【特許請求の範囲】
【請求項１】
空間を仕切るようにして閉鎖動作する開閉体の閉鎖方向端部に、該開閉体よりも閉鎖方向側の物体を接触感知する物体感知部を備えた開閉装置の物体感知構造において、
開閉体の閉鎖方向端部に、前記物体感知部における少なくとも開閉体厚さ方向の端部を覆うようにして、可撓性の保護シートを設けたことを特徴とする開閉装置の物体感知構造。
【請求項２】
上記保護シートが、上記物体感知部をその開閉体閉鎖方向側から覆い包むようにして設けられていることを特徴とする請求項１記載の物体感知構造。
【請求項３】
上記保護シートが、耐火性を有するシートであることを特徴とする請求項１又は２記載の開閉装置の物体感知構造。
【請求項４】
上記保護シートが、弛んだ状態で設けられていることを特徴とする請求項１乃至３何れか１項記載の開閉装置の物体感知構造。
【請求項５】
上記保護シートにおける開閉体閉鎖方向の端部に、上記開閉体の当接対象部位に対向するように、少なくとも閉鎖方向端部が略平板状に形成された平板状部材を設けたことを特徴とする請求項１乃至４何れか１項記載の開閉装置の物体感知構造。
【請求項６】
上記平板状部材に、上記物体感知部を押圧して作動しやすくするための突起を設けたことを特徴とする請求項５記載の開閉装置の物体感知構造。
【請求項７】
上記開閉体の当接対象部位に、上記開閉体の閉鎖方向端部における上記物体感知部の箇所を没入させる凹部であって、前記箇所以外の箇所を没入不能な凹部を設けたことを特徴とする請求項１乃至６何れか１項記載の開閉装置の物体感知構造。
【請求項８】
上記物体感知部は、物体を接触感知する略帯状のスイッチであり、開閉体の閉鎖方向端部に幅方向へわたって設けられていることを特徴とする請求項１乃至７何れか１項記載の物体感知構造。
【発明の詳細な説明】
【技術分野】
【０００１】
本発明は、オーバーヘッドドアを含むシャッター装置、雨戸を含む引戸、窓、ロールスクリーン、ブラインド、オーニング装置、門扉、ゲート、スライディングウォール装置、防煙垂れ幕装置等、空間を仕切るようにして開閉体を閉鎖動作させる開閉装置における物体感知構造に関し、特に、スクリーンシャッター装置に適用するのに好適な物体感知構造に関する。
【背景技術】
【０００２】
従来、例えば特許文献１に記載されたもののように、開閉体（開閉体本体１０）を可撓性シートにより構成した所謂スクリーンシャッター装置がある。
このような従来のスクリーンシャッター装置は、開閉体が比較的軽量で柔軟性のある可撓性シート材料から構成されているため、開閉体の開閉スピードを比較的速くすることができ、災害時に開閉体を速やかに閉鎖する必要のある防火シャッターとして好適である。
また、この従来のスクリーンシャッター装置では、万が一、閉鎖動作中の開閉体が、その下方側の物体に当接したとしても、前記したように開閉体が比較的軽量で柔軟性を有するので、当接された物体に対する衝撃が比較的小さくて済む。そのため、開閉体よりも閉鎖方向側の障害物等の物体を感知する物体感知部が設けられていなかった。
【０００３】
しかし、近年では、上記のようなスクリーンシャッター装置に対しても、より安全性を向上することが求められている。特に、開閉体の幅方向寸法が比較的長い開閉装置においては、開閉体全体の重量が大きくなり、物体に当接した際の衝撃も大きくなるため、その当接を極力回避する手段を備えることが好ましい。
【０００４】
そこで、上記従来のスクリーンシャッター装置における開閉体の閉鎖方向端部に、例えば特許文献２に記載された障害物感知装置を具備することが提案される。
しかしながら、上記従来のスクリーンシャッター装置に、特許文献２に記載されたような複雑な構造の物体感知部（障害物感知装置）を具備した場合には、軽量な可撓性シートからなる開閉体の重量を増加してしまうことになり、その結果、開閉体の開閉スピードを低下させてしまったり、万が一物体に当接した際の衝撃を増加してしまったり等するおそれがある。
そのため、スクリーンシャッター装置の開閉体には、軽量で簡素な構造の物体感知部を設けることが好ましいが、このようにした場合、開閉体が全閉した際や物体に当接した際に障害物感知装置が破損や磨耗等しないような工夫を要する。
また、スクリーンシャッター装置を防火シャッターとして用いる場合には、火災時の火炎や熱により、物体感知部が焼損してしまったり溶融してしまったり等するのを防ぐ必要がある。
【特許文献１】特開２００４−２０４５３１号公報
【特許文献２】特開平９−１７０３８９号公報
【発明の開示】
【発明が解決しようとする課題】
【０００５】
本発明は上記従来事情に鑑みてなされたものであり、その課題とする処は、開閉体の閉鎖方向端部に設けられた物体感知部を保護することができる開閉装置の物体感知構造を提供することにある。
【課題を解決するための手段】
【０００６】
上記課題を解決するために第一の発明は、空間を仕切るようにして閉鎖動作する開閉体の閉鎖方向端部に、該開閉体よりも閉鎖方向側の物体を接触感知する物体感知部を備えた開閉装置の物体感知構造において、開閉体の閉鎖方向端部に、前記物体感知部における少なくとも開閉体厚さ方向の端部を覆うようにして、可撓性の保護シートを設けたことを特徴とする。
【０００７】
ここで、本発明の物体感知構造が適用される開閉装置は、空間を仕切るようにして開閉体を閉鎖動作させる開閉装置であればよく、この開閉装置には、開閉体が閉鎖動作のみを行うように用いられる態様（例えば、非常時のみ遮煙や遮炎等の目的で閉鎖されるシャッター装置等）、開閉体が開放動作と閉鎖動作との双方を行うように用いられる態様等を含む。更に、この開閉装置には、開閉体を巻取軸により巻き取ったり繰り出したりすることで開閉させる態様や、開閉体を巻取ることなく繰り出したり収納したりする態様等を含む。
【０００８】
また、上記開閉体には、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等が挙げられるが、開閉体重量の軽量化を図り開閉スピードを向上して且つ閉鎖性を良好にする観点から、特に好ましくはシート状物からなる態様とする。
【０００９】
また、上記物体感知部は、物体との接触により、押圧力を受けて変形することに伴って感知するものであればよく、例えば、物体との接触によりリミットスイッチやマイクロスイッチ等を作動させるようにした態様、物体との接触により可動座板を移動させ、その移動をマイクロスイッチ等の接触式センサまたはマグネットスイッチや光電センサ等の非接触式センサにより感知するようにした態様、物体との接触により弾性チューブを変形させ、該チューブ内の光電センサの光経路が遮られるのを感知するようにした態様、物体との接触により弾性チューブを変形させ、該チューブ内の流体の圧力変化を感知するようにした態様等を含むが、特に軽量で簡素な構成としては、所謂テープスイッチを用いた態様とするのが好ましい。
この物体感知部は、開閉体幅方向のどこにおいても物体を感知できるように、開閉体幅方向へわたって連続的に設けられているのが好ましいが、開閉体幅方向へわたって断続的に複数設けるようにしてもよい。
【００１０】
また、上記保護シートは、弾性シー卜を含む可撓性のシートであればよいが、より好ましくは耐火性を有する可撓性シートを用いる。
【００１１】
また、「前記物体感知部における少なくとも開閉体厚さ方向の端部を覆うようにして」という構成は、上記物体感知部をその開閉体厚さ方向側から視た場合に、より好ましくは上記開閉体の閉鎖状態において上記物体感知部をその開閉体厚さ方向側から視た場合に、該物体感知部が上記保護シートにより覆われ視認されないような構成であればよい。
この構成には、上記物体感知部の開閉体厚さ方向の端部に対し上記保護シートが略密接している態様と、上記物体感知部の開閉体厚さ方向の端部と上記保護シートとの間に空間を有する態様との双方を含むが、上記物体感知部をより効果的に保護するためには後者の態様が好ましい。
また、この構成には、例えば、上記物体感知部における開閉体厚さ方向の端部のみを上記保護シートによって部分的に覆うようにした態様や、上記物体感知部における開閉体厚さ方向の端部を含むようにして、上記物体感知部を全体的に覆うようにした態様等を含む。
更に、この構成には、物体感知部における開閉体厚さ方向の一端部のみを上記保護シートによって覆うようにした態様や、物体感知部における開閉体厚さ方向の両端部をそれぞれ別々の保護シートによって覆うようにした態様、物体感知部における開閉体厚さ方向の一端部から他端部にわたる範囲を、一体的な保護シートによって覆い包むようにした態様等を含む。
【００１２】
また、第二の発明では、上記保護シートが、上記物体感知部をその開閉体閉鎖方向側から覆い包むようにして設けられていることを特徴とする。
すなわち、この第二の発明は、上記物体感知部における開閉体閉鎖方向の端部、および同物体感知部における開閉体厚さ方向の両端部を、上記保護シートによって覆い包むようにしている。
【００１３】
また、第三の発明では、上記保護シートが、耐火性を有するシートであることを特徴とする。
【００１４】
ここで、上記耐火性を有するシートには、難燃性の可撓性シートや、不燃性の可撓性シート、耐火性を有する様に加工された可撓性シート等を含む。
【００１５】
また、第四の発明では、上記保護シートが、弛んだ状態で設けられていることを特徴とする。
【００１６】
ここで、上記「弛んだ状態」とは、物体感知部を覆った状態の保護シートが、張った状態にないことを意味する。
好ましい一例としては、保護シートが物体感知部を覆い包む断面略袋状に設けられ、その保護シートの底部と物体感知部との間に隙間が形成される程度に、保護シートを弛ませる。
【００１７】
また、第五の発明では、上記保護シートにおける開閉体閉鎖方向の端部に、上記開閉体の当接対象部位に対向するように、少なくとも閉鎖方向端部が略平板状に形成された平板状部材を設けたことを特徴とする。
【００１８】
ここで、上記平板状部材は、少なくともその閉鎖方向端部が略平板状に形成された部材であればよく、すなわち、この平板状部材には、断面略凹字状の部材や、断面略Ｌ字状の部材等を含む。
また、この平板状部材は、その下面が略平坦状に形成された部材であることが好ましいが、意匠性を損ねないようにすれば、その下面に凹凸部やその他の形状、模様等がデザインされたものであってもよい。
また、この平板状部材は、開閉体幅方向へわたって連続する部材とするのが好ましいが、複数の部材を開閉体幅方向に接続してなる態様や、複数の部材を開閉体幅方向に所定間隔置きに配設してなる態様とすることも可能である。
【００１９】
また、第六の発明では、上記平板状部材に、上記物体感知部を押圧して作動しやすくするための突起を設けたことを特徴とする。
【００２０】
ここで、上記突起は、上記平板状部材と一体に形成されていてもよいし、上記平板状部材と別体の部材を、上記平板状部材に対して止着するようにしてもよい。
この突起の好ましい態様としては、上記平板状部材をリベットや、ネジ、ボルトとナット等の止着具によって上記保護シートに止着し、該止着具の突出する頭部または先端部を上記突起として用いるようにした構成とする。この構成によれば、上記突起に、物体感知部を押圧する押圧部材としての機能と、平板状部材を保護シートに止着する止着具としての機能とを併せ持たせることができる。
【００２１】
また、第七の発明では、上記開閉体の当接対象部位に、上記開閉体の閉鎖方向端部における上記物体感知部の箇所を没入させる凹部であって、前記箇所以外の箇所を没入不能な凹部を設けたことを特徴とする。
【００２２】
ここで、上記当接対象部位とは、上記開閉体を閉鎖動作させて全閉した際に、該開閉体が当接する部位を意味し、この当接対象部位の具体例としては、床面や地面、枠部材等が挙げられる。
【００２３】
また、「上記物体感知部の箇所」とは、詳細に説明すれば、上記開閉体の閉鎖方向端部側において少なくとも物体感知部を含む部分であり、該箇所には、物体感知部のみである場合や、物体感知部および保護シートである場合等を含む。
また、「前記箇所以外の箇所」とは、詳細に説明すれば、上記開閉体の閉鎖方向端部側において少なくとも物体感知部以外の部分であり、該箇所には、上記保護シートを含んでいてもよいし、上記保護シートを含まないようにしてもよい。
【００２４】
また、上記凹部の好ましい一例としては、上記当接対象部位における上記開閉体の幅方向の略全長にわたって連続する溝状に形成すればよい。
また、他例としては、上記物体感知部を開閉体幅方向へわたって断続的に複数設けた場合に、その複数の物体感知部をそれぞれ没入可能な複数の凹部としてもよいし、その複数の物体感知部をまとめて没入可能な単一の凹部としてもよい。
また、前記他例において、上記開閉体に避難用等のための通過口がある場合には、少なくとも該通過口の下方側に、上記凹部を設けるようにすることが好ましい。この構成によれば、前記通過口を通過する人や物等の荷重により物体感知部が損傷してしまうのを防ぐことができる。
【００２５】
また、第八の発明では、上記物体感知部は、物体を接触感知する略帯状のスイッチであり、開閉体の閉鎖方向端部に幅方向へわたって設けられていることを特徴とする。
【００２６】
ここで、上記略帯状のスイッチは、例えば所謂テープスイッチとすればよいが、略同様の構成の他のスイッチであってもよい。
【００２７】
なお、本明細書中において「開閉体厚さ方向」とは、閉鎖状態の上記開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
【発明の効果】
【００２８】
本発明は、以上説明したように構成されているので、以下に記載されるような作用効果を奏する。
第一の発明によれば、物体感知部の開閉体厚さ方向の端部を保護シートにより覆って保護することができ、例えば、火災時に物体感知部が開閉体厚さ方向側から火炎を受けるのを保護シートによって阻むことができる。
その上、当接対象部位に多少の凹凸がある場合でも、その凹凸に密接するようにして、保護シートが撓むため、全閉時の閉鎖性（遮煙性や、遮炎性、防塵性、防水性等を含む）を向上することができる。
【００２９】
また、第二の発明によれば、開閉体の閉鎖方向端部が、物体や当接対象部位に当接した際に、物体感知部と物体や当接対象部位との間に、保護シートが挟まれるため、物体感知部が、前記当接の際の摩擦や衝撃によって、摩耗や破損等してしまうのを防ぐことができる。
その上、当接対象部位に多少の凹凸がある場合でも、その凹凸に密接するようにして、保護シートが撓み変形するため、全閉時の閉鎖性（遮煙性や、遮炎性、防塵性、防水性等を含む）を向上することができる。
【００３０】
更に、第三の発明によれば、万が一火災が発生した際に、その火災時の火炎や熱により物体感知部が焼損してしまったり溶融してしまったり等するのを、耐火性を有する保護シートによって防ぐことができ、万一、物体感知部が焼損等してしまった場合でも、それに伴う延焼を防止することができる。
【００３１】
更に、第四の発明によれば、保護シートを、当接対象部位の凹凸に、より密接させることができるため、全閉時の閉鎖性を一層向上することができる。
【００３２】
更に、第五の発明によれば、開閉体が略全開された際に、該開閉体を下方から視た際の外観上の体裁を向上することができる。
【００３３】
更に、第六の発明によれば、開閉体の閉鎖動作中に、該開閉体よりも閉鎖方向側に物体がある場合、その物体に平板状部材が当接し、該平板状部材の突起が局部的に強い押圧力でもって物体感知部を押圧し、該物体感知部を作動させることになる。
したがって、物体感知部による物体感知性能を、より向上することができる。
【００３４】
更に、第七の発明によれば、開閉体が全閉した際に、物体感知部や該物体感知部下方の保護シートの一部を、凹部内に逃がすことができる。
したがって、物体感知部が、当接対象部位への当接によって磨耗や破損等してしまうのを防ぐことができる。
【００３５】
更に、第八の発明によれば、小型軽量で簡素な構造の略帯状のスイッチを用いるため、開閉体を軽量化して、開閉体の開閉スピードを向上することができ、生産性も良好である。
【発明を実施するための最良の形態】
【００３６】
以下、本発明の実施の形態を図面に基づいて説明する。
本実施の形態の開閉装置の物体感知構造は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする開閉装置であって、特に、火災などが発生した際に、煙の拡散や延焼を防止するのに好適なスクリーンシャッター装置に適用した一例について説明する。
【００３７】
開閉装置１は、シート状の開閉体１０、該開閉体１０の幅方向の端部を囲み開閉方向へ案内するガイドレール２０、開閉体１０を繰り出したり巻取ったりする巻取装置３０等を備えている。（図１参照）
【００３８】
開閉体１０は、通過可能な通過口１１ａを下端側に有する開閉体本体１１と、通過口１１ａを開閉可能にすべく開閉体本体１１に対し吊下げ状に設けられた扉部１２とを備え、開閉体本体１１及び通過口１１ａの下端部には、開閉体幅方向へわたって座板部材１４が配設されている。
【００３９】
開閉体本体１１は、例えば、ガラスクロスやシリカクロス等の難燃性布地や、フッ素加工を施した塩化ビニル樹脂シート材、ガラス繊維を含んだ合成樹脂シート材等、耐火性を有する可撓性シート材からなる。
この開閉体本体１１は、図示例によれば、開閉体幅方向に長い略矩形帯状のシート材を、上下方向に複数連接するように縫い付けることで構成される。
なお、この開閉体本体１１の他例としては、複数のシート材を開閉体幅方向や斜め方向へ縫い付けてなる態様や、略矩形状に裁断された一枚のシート材からなる態様等としてもよい。
【００４０】
また、前記開閉体本体１１の下端側の通過口１１ａは、図示した好ましい一例によれば、略矩形状を呈するが、円形状や、楕円形状、三角形状、他の多角形状等としてもよい。
また、この開閉体本体１１の幅方向の端部には、ガイドレール２０内に係合することで、開閉体１０がガイドレール２０から開閉体幅方向へ抜けてしまうのを防止する抜止部材（図示せず）が、開閉体開閉方向にわたって複数配設されている。
【００４１】
また、扉部１２は、開閉体１０の表側と裏側とにそれぞれ具備され、図示例によれば略矩形状に形成されている。
この扉部１２は、開閉体本体１１と略同材質の可撓性シート材からなり、開閉体本体１１同様に、複数のシート材を連接し縫い付けて構成してもよいし、裁断された一枚のシート材から構成してもよい。
そして、各扉部１２は、その上端側が、通過口１１ａの上縁に沿うようにして開閉体本体１１に止着されるとともに、この止着部以外の端部を、通過口１１ａの周囲の面に重ね合わせている。
【００４２】
また、座板部材１４は、開閉体１０が閉鎖動作する際に、自重によって開閉体１０を下方へ引っ張り、地面や床面等に当接される部材であり、開閉体本体１１及び通過口１１ａの下端側に、開閉体幅方向の略全長にわたって設けられている。
【００４３】
この座板部材１４は、より詳細に説明すれば、図３及び図４に示すように、単数もしくは複数（図示例によれば３つ）の錘体１４ａ，１４ｂ，１４ａと、これら錘体１４ａ，１４ｂ，１４ａを、その下方側から束ねる縦断面略凹状の枠部材１４ｃと、該枠部材１４ｃの下端部に止着された物体感知部１４ｄと、該物体感知部１４ｄをその下方側から覆い包むようにして設けられた保護シート１４ｅと、該保護シート１４ｅの両上端部を、錘体１４ａ，１４ａに固定する固定ブラケット１４ｆ，１４ｆと、一方の固定ブラケット１４ｆと共に錘体１４ａに固定されたリード線ガイドブラケット１４ｇとを具備している。
【００４４】
錘体１４ａ，１４ｂ，１４ａの各々は、図示例によれば略直方体状の金属部材であり、開閉体厚さ方向に重ね合わせられている。
中央の錘体１４ｂは、開閉体本体１１下端に形成された断面略袋状の部分１１ｂに納められることで、開閉体本体１１と一体化されている。
【００４５】
枠部材１４ｃは、上記錘体１４ａ，１４ｂ，１４ａ、および錘体１４ｂを内在する開閉体本体１１の断面略袋状の部分１１ｂを、下方側から断面略凹状に覆って、これら部材を開閉体厚さ方向に束ねている。
そして、これら錘体１４ａ，１４ｂ，１４ａ、前記断面略袋状の部分１１ｂ、および枠部材１４ｃは、開閉体厚さ方向へ挿通された止着具１４ｈ（例えば、ボルトとナットや、リベット等）によって固定されることで、一体化している。
【００４６】
そして、上記枠部材１４ｃの下端部には、物体感知部１４ｄが開閉体幅方向へわたって固定される。
この物体感知部１４ｄは、略帯状の弾性体内に接点を備え、厚さ方向の押圧力により前記接点をＯＮにする略帯状のスイッチ（テープスイッチ等と呼称される場合もある）である。
より詳細に説明すれば、この物体感知部１４ｄは、略帯状の弾性樹脂内に、厚さ方向に所定間隔を置いて配設された一対の電極を、該物体感知部１４ｄの長さ方向（開閉体幅方向）へわたって複数備え、これら複数の一対の電極を、それぞれ接点としており、その何れかの接点が外部からの押圧力によりＯＮにされた際に、その接点信号を出力するように構成されている。
また、図示した好ましい一例の物体感知部１４ｄでは、外力を受ける弾性樹脂部分（図示による下端面）に、長さ方向（開閉体幅方向）へわたる突起を有し、
該突記によって外部からの押圧力を内部に伝達し、一対の電極からなる接点を良好に作動させるようにしている。
なお、物体感知部１４ｄの他例としては、前記のような突起を省いた態様とすることも可能である。
【００４７】
上記枠部材１４ｃを物体感知部１４ｄに固定する手段は、両面テープや接着剤による接着や、ねじ止め、リベット止め、その他の止着手段とすることができる。
【００４８】
上記のようにして一体化された錘体１４ａ，１４ｂ，１４ａ、開閉体本体１１、枠部材１４ｃ、物体感知部１４ｄは、図４（ｂ）に示すように、その下方側から保護シート１４ｅによって覆われる。
【００４９】
保護シート１４ｅは、上記開閉体本体１１と略同材質の耐火性を有する可撓性シートであり、開閉体幅方向の略全長にわたって設けられ、物体感知部１４ｄ、枠部材１４ｃ、錘体１４ａ，１４ｂ，１４ａ等を、その下方側から開閉体厚さ方向に覆い包む。
この際、保護シート１４ｅは、物体感知部１４ｄとの間に若干の隙間ｓ（図４（ｂ）参照）が形成されるように、適度の弛んだ状態で配設される。
【００５０】
保護シート１４ｅの各上端部には、図４（ｃ）に示すように、固定ブラケット１４ｆが重ね合わせられる。
各固定ブラケット１４ｆは、図示例によれば、断面略Ｌ字状に形成されるが、平板状や他の形状とすることも可能である。
【００５１】
また、両固定ブラケット１４ｆ，１４ｆの内の一方には、リード線ガイドブラケット１４ｇが重ね合わせられる。
このリード線ガイドブラケット１４ｇは、開閉体幅方向の端部側に設けられ（図１及び図２参照）、物体感知部１４ｄのリード線１４ｄ１の繋ぎ目１４ｄ２（例えば、コネクター部分等）を覆うようにして保護するとともに、リード線１４ｄ１を上方へ導いている。
【００５２】
そして、上記保護シート１４ｅ、固定ブラケット１４ｆ，１４ｆ、リード線ガイドブラケット１４ｇは、図３及び図４に示すように、開閉体厚さ方向に挿通された止着具１４ｉ（例えば、ボルトとナット、リベット等）によって、錘体１４ａ，１４ｂ，１４ａおよび開閉体本体１１と一体化される。
【００５３】
なお、錘体１４ａ，１４ｂ，１４ａ、枠部材１４ｃ、物体感知部１４ｄ、保護シート１４ｅ、固定ブラケット１４ｆ，１４ｆ等の各々は、開閉体本体１１の幅方向の略全長にわたって設けられており、開閉体幅方向へわたる一体の部材であってもよいし、複数の部材を開閉体幅方向へ接続してなる部材であってもよい。
【００５４】
また、上記のようにリード線ガイドブラケット１４ｇによって上方へ導かれたリード線１４ｄ１は、図１に示すように、開閉体本体１１の表部又は裏部を這うようにして巻取装置３０の収納ケース３３内に挿入され、収納ケース３３内で巻取りリール式のリード線収納装置４０に巻かれる。
リード線収納装置４０は、略円筒状の巻取体（図示せず）と、該巻取体を巻取り方向へ付勢する付勢部材（例えば、スプリングやぜんまいばね等）とを備え、開閉体１０の閉鎖動作に伴ってリード線１４ｄ１を繰り出し、同開閉体１０の開放動作に伴って余分となる同リード線１４ｄ１を、前記付勢部材の付勢力によって巻き取るように構成されている。
【００５５】
そして、このリード線収納装置４０は、リード線１４ｄ１に通電される電気信号を巻取装置３０内の制御部３１へ送信するように、収納ケース３３内にて電気的に配線されている。
【００５６】
また、巻取装置３０は、開閉体１０を巻取ったり繰り出したりする巻取軸３２や、該巻取軸３２を回転させる電動駆動源（図示せず）、該電動駆動源を制動するブレーキ装置（図示せず）、該電動駆動源を制御する制御部３１等を、収納ケース３３内に具備してなる。
【００５７】
制御部３１は、図示しない操作部（例えば、スイッチボックスや、リモコン送信機、携帯端末等）からの操作信号や、災害時の非常信号、上記物体感知部１４ｄからの接点信号等に応じて、開閉体１０の開閉動作を適宜に制御する電気回路であり、マイコン、シーケンサー、またはリレー回路等によって構成されている。
【００５８】
この制御部３１による制御動作の一例について詳述すれば、この制御部３１は、火災等の災害時に非常信号が入力されると、開閉体１０の略全開状態において巻取軸３２を静止しているブレーキ装置（図示せず）を解除し、開閉体１０を自重によって巻取軸３２から繰り出させる。
制御部３１は、開閉体１０の閉鎖動作中に、該開閉体１０がその下方側の物体（障害物）に当接した場合には、その当接を物体感知部１４ｄからの入力信号により感知し、前記ブレーキ装置を作動させて、開閉体１０の閉鎖動作を停止する。
【００５９】
そして、制御部３１は、当接していた物体が開閉体１０の下方に存在しなくなった場合には、物体感知部１４ｄからの入力信号がＯＮからＯＦＦに変化するため、その入力信号の変化から所定時間（例えば１０秒）後に、上記ブレーキ装置を解除して、再度、開閉体１０を自重によって閉鎖動作させる。
したがって、閉鎖動作中の開閉体１０に物体が当接した後、その物体が除去された場合でも、開閉体１０を全閉するまで閉鎖動作させることができる。
【００６０】
そして、制御部３１は、開閉体１０の閉鎖方向端部が当接対象部位ｐ（例えば、床面や、地面、枠部材等）に近接すると、その近接状態を、巻取装置３０内のカウンター式リミットスイッチ（図示せず）からの信号により認識し、物体感知部１４ｄからの入力信号を無効にする。
なお、前記カウンター式のリミットスイッチは、開閉体１０の閉鎖方向端部と当接対象部位ｐと隙間が、殆ど物体を挿入不可能な程度の隙間になった際に、信号を出力するように、適宜に設定されている。
したがって、開閉体１０が全閉した際には、物体感知部１４ｄが当接対象部位ｐにより押圧されその接点がＯＮ状態になっても、その状態を制御部３１は障害物などの物体感知として認識しない。
【００６１】
そして、制御部３１は、開閉体１０が略全閉状態となると、巻取装置３０内における別のカウンター式リミットスイッチ（図示せず）からの信号により、巻取装置３０内の上記ブレーキ装置（図示せず）を作動させて、巻取軸３２の繰り出し方向の回転を停止する。よって、開閉体１０は、開閉方向の弛みが略無い略全閉状態で静止する。
【００６２】
なお、上記構成によれば、開閉体１０の物体感知部１４ｄが物体に当接した際に、その開閉体１０の閉鎖動作を停止するようにしているが、開閉体１０を所定時間又は所定距離反転動作させてから停止するようにしてもよい。
【００６３】
また、他例としては、開閉体１０が当接対象部位ｐに当接した際における物体感知部１４ｄからの信号を有効にし、該信号によってブレーキ装置（図示せず）を作動させて巻取軸３２の繰り出し回転を停止することも可能であるが、この場合には、当接対象部位ｐに若干の凹凸がある場合に、その凹凸の凸部に物体感知部１４ｄが反応して巻取軸３２の繰り出し回転を停止してしまうと、開閉体１０の閉鎖方向端部と当接対象部位ｐとの間に、隙間を生じてしまうおそれがある。
そのため、上記実施の形態のように、開閉体１０が全閉する若干手前で物体感知部１４ｄを無効とする構成の方が好ましい。
【００６４】
而して、本発明に係わる物体感知構造を備えた上記開閉装置１によれば、開閉体１０の閉鎖動作中に、物体感知部１４ｄが物体や当接対象部位ｐに当接し、その際の摩擦や衝撃等に起因して、物体感知部１４ｄが磨耗や損傷等してしまうのを、保護シート１４ｅによって防ぐことができ、その上、物体感知部１４ｄが火災時の炎や熱により損傷したり溶融したり等してしまうのも、耐火性の保護シート１４ｅによって防ぐことができる。
更に、図３に示すように、当接対象部位ｐに若干の凹凸がある場合でも、弛みを有する保護シート１４ｅが、その凹凸に沿うようにして密接するため、火災時に発生した煙や炎等が開閉体１０と当接対象部位ｐとの隙間から洩れてしまうのを防ぐことができ、閉鎖性が良好である。
【００６５】
次に、本発明に係わる開閉装置の物体感知構造の他例について説明する。なお、以下に示す物体感知構造の他例は、上述した物体感知構造を一部変更したものであるため、上記物体感知構造と略同様の箇所については、重複する詳細な説明を省略する。
【００６６】
図５（ａ）（ｂ）に示す開閉装置の物体感知構造は、上記保護シート１４ｅにおける開閉体閉鎖方向の端部に、開閉体１０の当接対象部位ｐに対向するように平板状部材５１を止着している。
【００６７】
平板状部材５１は、開閉体１０の閉鎖方向端部に沿う開閉体幅方向へわたる略矩形状の板材であり、その開閉体厚さ方向の略中央部分が止着具５２によって、保護シート１４ｅの下端に止着されている。
止着具５２は、リベットや、ネジ、ボルトとナット等であり、その頭部または先端部を、物体感知部１４ｄにおける開閉体厚さ方向の略中央部分に対向させることで、物体感知部１４ｄを押圧して作動可能な突起５２ａとしている。
図示した好ましい一例によれば、平板状部材５１の下面に施された座ぐり状の凹部に、止着具５２の先端部または頭部を配置することで、平板状部材５１の下面に突出した部分がないようにしている。
【００６８】
なお、図示例によれば、止着具５２を開閉体厚さ方向において単数設けてあるが、該止着具５２を開閉体厚さ方向に複数設けることで、平板状部材５１の上面を保護シート１４ｅに対し、より密接させるようにしてもよい。また、平板状部材５１の上面を接着剤により保護シート１４ｅに対し、より密接させるようにしてもよい。
【００６９】
而して、この開閉装置の物体感知構造によれば、図５（ａ）に示すように、開閉体１０が略全開された際には、平板状部材５１の底面を、巻取装置３０下部側のまぐさ部材３４の下端面に対し、略面一にすることができるため、略全開状態の開閉体１０の下端部が下方側から視認された際における体裁を良好にすることができる。
また、閉鎖動作中の開閉体１０における閉鎖方向端部の保護シート１４ｅに、変形や皺等が生じるのを、平板状部材５１の重量等により抑えることができる。
なお、平板状部材５１の下端面に、まぐさ部材３４の下端面と同色の着色を施せば、より外観上の体裁を向上することができ、好ましい。
【００７０】
また、図５（ｂ）に示すように、開閉体１０が物体ｘに当接した際には、物体感知部１４ｄが突起５２ａにより局部的に強く押圧されるため、物体感知部１４ｄ内の接点を良好に作動させることができる。
【００７１】
なお、上記態様（図５（ａ）（ｂ）参照）によれば、平板状部材５１を保護シート１４ｅの外部側に設けたが、図６に示す態様のように平板状部材５１’を保護シート１４ｅの内部側に設けるようにしてもよい。
図６に示す開閉装置の物体感知構造によれば、平板状部材５１’を保護シート１４ｅ内面の底部側によって受ける構造であるため、保護シート１４ｅにおける止着具５２の部分に、平板状部材５１’の荷重が集中してしまうのを避けることができ、ひいては、当該物体感知構造の耐久性を向上することができる。
なお、この物体感知構造においても、上述した図５（ａ）（ｂ）に示す態様と略同様に、開閉体全開時の外観上の体裁を向上する効果や、物体感知部１４ｄの作動を良好にする効果等を奏するのは勿論である。
【００７２】
また、図７に示す開閉装置の物体感知構造では、保護シート１４ｅにおける開閉体閉鎖方向の端部に、開閉体１０の当接対象部位ｐに対向するように断面略凹状の平板状部材５３を止着している。
平板状部材５３は、その開閉体厚さ方向（図７における水平方向）の両端部に、立上り片部５３ａ，５３ａを備え、その両立上り片部５３ａ，５３ａの内側に保護シート１４ｅが位置するようにしている。
そして、この平板状部材５３は、開閉体厚さ方向へ所定間隔置きに設けられた複数の止着具５２によって保護シート１４ｅに止着され、複数の止着具５２の内、中央の止着具５２における先端部または頭部が、物体感知部１４ｄを押圧するための突起５２ａとして用いられている。
この物体感知構造によれば、開閉体１０の略全開時に、平板状部材５３とまぐさ部材３４との隙間から、保護シート１４ｅやその他の座板構造が見えてしまうのを、立上り片部５３ａ，５３ａによって防ぐことができ、開閉体１０全開時の外観上の体裁を一層良好にすることができる。
【００７３】
また、図８に示す開閉装置の物体感知構造では、保護シート１４ｅにおける開閉体閉鎖方向の端部に、開閉体１０の当接対象部位ｐに対向するとともに、まぐさ部材３４を覆うように、断面略凹状の平板状部材５４を止着している。
平板状部材５４は、その開閉体厚さ方向（図７における水平方向）の両端部に、立上り片部５４ａ，５４ａを備え、開閉体１０の全開時には、その両立上り片部５４ａ，５４ａの内側にまぐさ部材３４が位置するようにしている。
そして、この平板状部材５４は、開閉体厚さ方向へ所定間隔置きに設けられた複数の止着具５２によって保護シート１４ｅに止着され、複数の止着具５２の内、中央の止着具５２における先端部または頭部が、物体感知部１４ｄを押圧するための突起５２ａとして用いられている。
この物体感知構造によれば、開閉体１０の略全開時に、座板部材１４とまぐさ部材３４との隙間が塞がれるため、外観上の体裁を更に向上することができる。
【００７４】
また、図９に示す開閉装置の物体感知構造では、開閉体１０の当接対象部位ｐに、開閉体幅方向へわたる略溝状の凹部ｐ１を設けている。
凹部ｐ１は、物体感知部１４ｄ、および保護シート１４ｅにおける物体感知部１４ｄを覆い包んでいる部分を没入可能であって、それ以外の箇所が没入不能となるように、形成されている。
この開閉装置の物体感知構造によれば、開閉体１０が略全閉した際、物体感知部１４ｄが当接対象部位ｐの凹部ｐ１内に逃がされることになる。したがって、開閉体１０全閉時の衝撃により、物体感知部１４ｄが損傷したり脱落したり等するのを防ぐことができる。
特に、図１に例示する開閉装置１のように開閉体１０に通過口１１ａがある場合には、該通過口１１ａを通過する通過物の重量によって物体感知部１４ｄが損傷等してしまうのを、凹部ｐ１によって効果的に防ぐことができる。
【００７５】
また、図１０（ａ）（ｂ）に示す開閉装置の物体感知構造では、上述した物体感知構造（図３参照）における保護シート１４ｅを、座板部材１４における開閉体厚さ方向の両側の保護シート１４ｅ’，１４ｅ’に置換した構成としている。
各保護シート１４ｅ’は、物体感知部１４ｄにおける開閉体厚さ方向の端部を覆うようにして設けられる。
より詳細に説明すれば、各保護シート１４ｅ’は、上記保護シート１４ｅと略同材質のシート材を、開閉体幅方向の略全長にわたる平面視略矩形状に裁断してなり、その上辺側が座板部材１４に止着され、その下辺側が物体感知部１４ｄよりも下方側に断面略スカート状に垂れ下がるように設けられている。
この物体感知構造によれば、開閉体１０が略全閉されると、図１０（ｂ）に示すように、各保護シート１４ｅ’の下端側が当接対象部位ｐに当接する。
したがって、物体感知部１４ｄは、両保護シート１４ｅ’，１４ｅ’および当接対象部位ｐによって覆われて、保護されることになる。
しかも、各保護シート１４ｅ’の下端側が、略スカート状に撓むようにして当接対象部位ｐに略密接するため、その閉鎖性が良好であり、火災時の火炎や煙、あるいは粉塵等の通過を阻むことができる。
【００７６】
図１０（ａ）（ｂ）に示す開閉装置の物体感知構造において、両保護シート１４ｅ’，１４ｅ’の下端にわたって、上述した平板状部材５１，５３，５４の何れかを設けるようにしてもよい。
また、図１０（ａ）（ｂ）に示す開閉装置の物体感知構造において、当接対象部位ｐに、物体感知部１４ｄの箇所のみを没入させる凹部ｐ１を設けるようにしてもよい。
【００７７】
なお、上述した開閉装置１（図１参照）によれば、物体感知部１４ｄのリード線１４ｄ１を、リール式のリード線収納装置４０によって巻き取ったり巻き戻したりするようにしたが、このリード線収納装置４０は、図１０に示す開閉装置２のように、リード線収納装置５０に置換されてもよい。
図１０に示す開閉装置２では、開閉体１０が開閉動作した際に、リード線収納装置５０によってリード線１４ｄ１を収納したり繰り出したりしている。
リード線収納装置５０は、巻取装置３０内に回動自在に吊り下げられるとともに、上半部側にリード線１４ｄ１が掛けられるようにした吊り滑車（静滑車）５１と、リード線１４ｄ１における吊り滑車５１と制御部３１との間の部分に掛けられた動滑車５２と、該動滑車５２の支軸に一体的に吊り下げられた垂体５３とから構成される滑車機構であり、動滑車５２及び垂体５３をガイドレール２０内の空間に配置している。
このリード線収納装置５０によれば、開閉体１０が開放動作すると、動滑車５２及び垂体５３が徐々に下方へ移動し、リード線１４ｄ１の余分となる部分がガイドレール２０内に収納され、開閉体１０が閉鎖動作すると、動滑車５２及び垂体５３が徐々に上方へ移動し、リード線１４ｄ１が収納ケース３３下端の隙間から徐々に繰り出されることになる。
【図面の簡単な説明】
【００７８】
【図１】本発明に係わる物体感知構造の一例を適用した開閉装置を示す正面図である。
【図２】同開閉装置の要部拡大図である。
【図３】同開閉装置の要部側面図である。
【図４】同開閉装置の要部側面図であり、（ａ）〜（ｂ）に組立て手順を示している。
【図５】本発明に係わる物体感知構造の他例を示す要部側面図である。
【図６】本発明に係わる物体感知構造の他例を示す要部側面図である。
【図７】本発明に係わる物体感知構造の他例を示す要部側面図である。
【図８】本発明に係わる物体感知構造の他例を示す要部側面図である。
【図９】本発明に係わる物体感知構造の他例を示す要部側面図である。
【図１０】本発明に係わる物体感知構造の他例を示す要部側面図である。
【図１１】本発明に係わる物体感知構造の一例を適用した開閉装置の他例を示す正面図である。
【符号の説明】
【００７９】
１，２：開閉装置
１０：開閉体
１４：座板部材
１４ｄ：物体感知部
１４ｅ，１４ｅ’：保護シート
ｐ：当接対象部位
５１，５１’，５３，５４：平板状部材
５２ａ：突起
ｐ：当接対象部位
ｐ１：凹部
【図１】
2007154412.tif 000003
【図２】
2007154412.tif 000004
【図３】
2007154412.tif 000005
【図４】
2007154412.tif 000006
【図５】
2007154412.tif 000007
【図６】
2007154412.tif 000008
【図７】
2007154412.tif 000009
【図８】
2007154412.tif 000010
【図９】
2007154412.tif 000011
【図１０】
2007154412.tif 000012
【図１１】
2007154412.tif 000013